(57)【要約】【課題】待ち受け時の消費電力および着信時の着信待ち期間を制御すること。【解決手段】受信部１０４は、ページングインジケータ（以下「ＰＩ」と言う）をアンテナ１０２を介して間欠的に受信し、ＰＩを復調して受信信号レベル測定部１０６へ出力する。受信信号レベル測定部１０６は、復調されたＰＩの受信信号レベルＲを測定して着信判定部１１０へ出力する。着信判定部１１０は、測定された受信信号レベルＲをＰＩの信号レベルの値を示す閾値Ｔｈと比較し、比較結果に基づいて着信の有無を判定し、判定結果を着信シーケンス制御部１１２へ出力する。閾値調整部１０８は、受信信号レベルＲとの比較に用いられる閾値Ｔｈの値を調整して着信判定部１１０へ出力する。着信シーケンス制御部１１２は、着信判定結果に基づいて所定の着信処理を行う。【選択図】　　　図１
2004140611.tif 000002
【特許請求の範囲】
【請求項１】
ページングインジケータの信号レベルの値を示す閾値を調整する閾値調整手段と、
前記ページングインジケータの受信信号レベルを前記閾値調整手段によって調整された前記閾値と比較することによって着信の有無を判定する着信判定手段と、を具備することを特徴とする着信判定装置。
【請求項２】
前記閾値調整手段は、
前記ページングインジケータの受信品質を測定して受信品質測定値を生成する受信品質測定手段を具備し、
前記受信品質測定手段によって生成された前記受信品質測定値に基づいて前記閾値の調整を行うことを特徴とする請求項１記載の着信判定装置。
【請求項３】
前記閾値調整手段は、
前記ページングインジケータの受信品質基準値を設定する受信品質基準値設定手段を具備し、
前記受信品質基準値設定手段によって設定された前記受信品質基準値に基づいて前記閾値の調整を行うことを特徴とする請求項１記載の着信判定装置。
【請求項４】
前記閾値調整手段は、
前記着信判定手段が着信ありと誤って判定する第１の誤判定確率または着信なしと誤って判定する第２の誤判定確率の目標値を決定する目標値決定手段を具備し、
前記目標値決定手段によって決定された前記目標値に基づいて前記閾値の調整を行うことを特徴とする請求項１記載の着信判定装置。
【請求項５】
前記閾値調整手段は、
前記閾値調整手段および前記着信判定手段の駆動に用いられる電池の残存電荷量を検出する残存電荷量検出手段を具備し、
前記残存電荷量検出手段によって検出された前記残存電荷量に基づいて前記閾値の調整を行うことを特徴とする請求項１記載の着信判定装置。
【請求項６】
前記閾値調整手段は、
前記ページングインジケータを間欠的に受信する間欠受信周期を取得する間欠受信周期取得手段を具備し、
前記間欠受信周期取得手段によって取得された前記間欠受信周期に基づいて前記閾値の調整を行うことを特徴とする請求項１記載の着信判定装置。
【請求項７】
前記閾値調整手段は、
前記閾値を調整するためのコマンドを復調するコマンド復調手段を具備し、
前記コマンド復調手段によって復調された前記コマンドに基づいて前記閾値の調整を行うことを特徴とする請求項１記載の着信判定装置。
【請求項８】
基地局装置と移動局装置とを具備し、
前記基地局装置は、
ページングインジケータの信号レベルの値を示す閾値を調整するためのコマンドを生成するコマンド生成手段と、
前記ページングインジケータを生成するページングインジケータ生成手段と、
前記コマンド生成手段によって生成された前記コマンドおよび前記ページングインジケータ生成手段によって生成された前記ページングインジケータをそれぞれ送信する送信手段と、を具備し、
前記移動局装置は、
前記送信手段によって送信された前記コマンドおよび前記ページングインジケータをそれぞれ受信する受信手段と、
前記受信手段によって受信された前記コマンドに基づいて前記閾値を調整する閾値調整手段と、
前記ページングインジケータの受信信号レベルを前記閾値調整手段によって調整された前記閾値と比較することによって着信の有無を判定する着信判定手段と、を具備することを特徴とする移動体通信システム。
【請求項９】
ページングインジケータの信号レベルの値を示す閾値を調整する閾値調整ステップと、
前記ページングインジケータの受信信号レベルを前記閾値と比較することによって着信の有無を判定する着信判定ステップと、を具備することを特徴とする着信判定方法。
【発明の詳細な説明】
【０００１】
【発明の属する技術分野】
本発明は、ページングインジケータチャネルを用いて着信判定を行う着信判定装置および着信判定方法に関する。
【０００２】
【従来の技術】
移動体通信システムにおいて、通信相手あるいは放送局がある移動局装置宛ての呼び出しを発信した時、基地局装置は、共通の制御用チャネル（たとえば、Ｓｅｃｏｎｄａｒｙ−Ｃｏｍｍｏｎ　Ｃｏｎｔｒｏｌ　Ｐｈｙｓｉｃａｌ　Ｃｈａｎｎｅｌ）にマッピングされたページングチャネル（以下、「ＰＣＨ」と言う）を用いてその移動局装置宛ての着信があることを通知する。移動局装置は着信を判定するための着信判定装置を具備しており、着信判定装置は、ＰＣＨを受信し、ＰＣＨにこの移動局装置宛てのページング情報がある場合は基地局と各種の制御情報を交換して接続状態に移行する。３ＧＰＰ（３ｒｄ　Ｇｅｎｅｒａｔｉｏｎ　Ｐａｒｔｎｅｒｓｈｉｐ　Ｐｒｏｊｅｃｔ）標準化規格で定められているＷ−ＣＤＭＡ（Ｗｉｄｅｂａｎｄ−Ｃｏｄｅ　Ｄｉｖｉｓｉｏｎ　Ｍｕｌｔｉｐｌｅ　Ａｃｃｅｓｓ）方式の移動体通信システムにおいては、基地局装置は、着信があるか否かを示すページングインジケータ（以下、「ＰＩ」と言う）をページングインジケータチャネル（以下、「ＰＩＣＨ」と言う）を介して各移動局装置に送信する。一方、移動局装置は、ＰＩを間欠的に受信し、ＰＩを用いて着信の有無を判定し、着信ありと判定した時に上述のようなＰＣＨの受信を行う。このようにＰＩＣＨを送受信することによって、移動局装置のバッテリーセービングを向上することができる。
【０００３】
ＰＩを用いた具体的な着信判定方法は以下の通りである。まず、基地局装置は、着信なしの時に正の値のビットを有するＰＩを送信し、着信ありの時に負の値のビットを有するＰＩを送信する。着信判定装置は、所定の間欠受信周期でＰＩＣＨの受信を行い、ＰＩの受信信号レベルを測定する。ここで、信号レベルとは、電力にＰＩの＋１または−１を乗じた値であり、受信信号レベルとは、受信電力にＰＩの＋１または−１を乗じた値である。そして、着信判定装置は、測定された受信信号レベルに基づいて着信の有無を判定する。測定された受信信号レベルが正の値である時に着信なしと判定し、測定された受信信号レベルが負の値である時に着信ありと判定する。そして、着信判定装置は、着信ありと判定した時に上述のようなＰＣＨの受信を行う。一方、着信判定装置は、着信なしと判定した時に次回のＰＩＣＨの受信まで移動局装置内の不要な部分［たとえば、アプリケーション用のＣＰＵ（Ｃｅｎｔｒａｌ　Ｐｒｏｃｅｓｓｉｎｇ　Ｕｎｉｔ）］への電力の供給を停止する制御を行い、待ち受け時の消費電力を低減する（たとえば、特許文献１参照）。
【０００４】
上述のような着信判定方法において発生し得る誤りとしては２種類の誤りが挙げられる。１つは、実際には着信がないにもかかわらず着信ありと誤って判定してしまって、着信を誤って検出してしまう誤り（以下、「着信誤検出」と言う）であり、もう１つは、実際には着信があるにもかかわらず着信なしと誤って判定してしまって、着信を見逃してしまう誤り（以下、「着信検出見逃し」と言う）である。着信判定において着信誤検出が発生した場合、着信判定装置は着信がないにもかかわらずＰＣＨ受信の動作を行うため、無駄な電力を消費してしまう。一方、着信検出見逃しが発生した場合、着信判定装置は着信があるにもかかわらずＰＣＨの受信を行わないため、通信相手が呼び出しを発信した時から着信判定装置が着信を正しく判定して接続状態への移行を行う時までの着信待ち期間を長くしてしまう。
【０００５】
誤判定が発生する確率（以下、「誤判定確率」と言う）には、着信誤検出が発生する確率（以下、「誤検出率」と言う）または着信検出見逃しが発生する確率（以下、「検出見逃し率」と言う）がある。誤判定確率は、着信判定装置におけるＰＩの受信品質（たとえば、希望波信号電力対雑音信号電力比）に依存して変動することが知られている。具体的には、受信品質の指標の１つである希望波信号電力対雑音信号電力比が良くなると誤検出率および検出見逃し率は低下し、希望波信号電力対雑音信号電力比が劣化すると誤検出率および検出見逃し率は上昇する。
【０００６】
【特許文献１】
特開平７−３８４８７号公報
【０００７】
【発明が解決しようとする課題】
しかしながら、従来の着信判定装置においては、ＰＩの受信信号レベルとの比較に用いられる閾値が常にゼロ、すなわち固定値であるため、受信品質の変動に伴って変動する誤判定確率を制御することができず、着信判定装置が待ち受け時に無駄な電力を消費したり着信時の着信待ち期間を長くしたりしてしまうという問題がある。
【０００８】
本発明は、かかる点に鑑みてなされたものであり、待ち受け時の消費電力および着信時の着信待ち期間を制御することができる着信判定装置および着信判定方法を提供することを目的とする。
【０００９】
【課題を解決するための手段】
本発明の着信判定装置は、ページングインジケータの信号レベルの値を示す閾値を調整する閾値調整手段と、前記ページングインジケータの受信信号レベルを前記閾値調整手段によって調整された前記閾値と比較することによって着信の有無を判定する着信判定手段と、を具備する構成を採る。
【００１０】
この構成によれば、調整された閾値とページングインジケータの受信信号レベルとを比較することによって着信の有無を判定するため、着信判定手段が着信ありと誤って判定する確率および着信なしと誤って判定する確率を制御することができるから、待ち受け時の消費電力および着信時の着信待ち期間を制御することができる。
【００１１】
本発明の着信判定装置は、上記構成において、前記閾値調整手段が、前記ページングインジケータの受信品質を測定して受信品質測定値を生成する受信品質測定手段を具備し、前記受信品質測定手段によって生成された前記受信品質測定値に基づいて前記閾値の調整を行う構成を採る。
【００１２】
この構成によれば、上記効果に加えて、生成された受信品質測定値に基づいて閾値の調整を行うため、ページングインジケータの受信品質に基づいて着信判定手段が着信ありと誤って判定する所望の確率および着信なしと誤って判定する所望の確率を達成することができるから、ユーザにとって所望の待ち受け時の消費電力およびユーザにとって所望の着信時の着信待ち期間を達成することができる。
【００１３】
本発明の着信判定装置は、上記構成において、前記閾値調整手段が、前記ページングインジケータの受信品質基準値を設定する受信品質基準値設定手段を具備し、前記受信品質基準値設定手段によって設定された前記受信品質基準値に基づいて前記閾値の調整を行う構成を採る。
【００１４】
この構成によれば、上記効果に加えて、設定された受信品質基準値に基づいて閾値の調整を行うため、ページングインジケータの受信品質基準値に基づいて着信判定手段が着信ありと誤って判定する所望の確率および着信なしと誤って判定する所望の確率を達成することができるから、ユーザにとって所望の待ち受け時の消費電力およびユーザにとって所望の着信時の着信待ち期間を達成することができる。
【００１５】
本発明の着信判定装置は、上記構成において、前記閾値調整手段が、前記着信判定手段が着信ありと誤って判定する第１の誤判定確率または着信なしと誤って判定する第２の誤判定確率の目標値を決定する目標値決定手段を具備し、前記目標値決定手段によって決定された前記目標値に基づいて前記閾値の調整を行う構成を採る。
【００１６】
この構成によれば、上記効果に加えて、決定された目標値に基づいて閾値の調整を行うため、目標値に基づいて着信判定手段が着信ありと誤って判定する所望の確率および着信なしと誤って判定する所望の確率を達成することができるから、ユーザにとって所望の待ち受け時の消費電力およびユーザにとって所望の着信時の着信待ち期間を達成することができる。
【００１７】
本発明の着信判定装置は、上記構成において、前記閾値調整手段が、前記閾値調整手段および前記着信判定手段の駆動に用いられる電池の残存電荷量を検出する残存電荷量検出手段を具備し、前記残存電荷量検出手段によって検出された前記残存電荷量に基づいて前記閾値の調整を行う構成を採る。
【００１８】
この構成によれば、上記効果に加えて、検出された残存電荷量に基づいて閾値の調整を行うため、検出された残存電荷量に基づいて着信判定手段が着信ありと誤って判定する所望の確率および着信なしと誤って判定する所望の確率を達成することができるから、ユーザにとって所望の待ち受け時の消費電力およびユーザにとって所望の着信時の着信待ち期間を達成することができる。
【００１９】
本発明の着信判定装置は、上記構成において、前記閾値調整手段が、前記ページングインジケータを間欠的に受信する間欠受信周期を取得する間欠受信周期取得手段を具備し、前記間欠受信周期取得手段によって取得された前記間欠受信周期に基づいて前記閾値の調整を行う構成を採る。
【００２０】
この構成によれば、上記効果に加えて、取得された間欠受信周期に基づいて閾値の調整を行うため、取得された間欠受信周期に基づいて着信判定手段が着信ありと誤って判定する所望の確率および着信なしと誤って判定する所望の確率を達成することができるから、ユーザにとって所望の待ち受け時の消費電力およびユーザにとって所望の着信時の着信待ち期間を達成することができる。
【００２１】
本発明の着信判定装置は、上記構成において、前記閾値調整手段が、前記閾値を調整するためのコマンドを復調するコマンド復調手段を具備し、前記コマンド復調手段によって復調された前記コマンドに基づいて前記閾値の調整を行う構成を採る。
【００２２】
この構成によれば、上記効果に加えて、復調されたコマンドに基づいて閾値の調整を行うため、復調されたコマンドに基づいて着信判定手段が着信ありと誤って判定する所望の確率および着信なしと誤って判定する所望の確率を達成することができるから、ユーザにとって所望の待ち受け時の消費電力およびユーザにとって所望の着信時の着信待ち期間を達成することができる。
【００２３】
本発明の移動体通信システムは、基地局装置と移動局装置とを具備し、前記基地局装置が、ページングインジケータの信号レベルの値を示す閾値を調整するためのコマンドを生成するコマンド生成手段と、前記ページングインジケータを生成するページングインジケータ生成手段と、前記コマンド生成手段によって生成された前記コマンドおよび前記ページングインジケータ生成手段によって生成された前記ページングインジケータをそれぞれ送信する送信手段と、を具備し、前記移動局装置が、前記送信手段によって送信された前記コマンドおよび前記ページングインジケータをそれぞれ受信する受信手段と、前記受信手段によって受信された前記コマンドに基づいて前記閾値を調整する閾値調整手段と、前記ページングインジケータの受信信号レベルを前記閾値調整手段によって調整された前記閾値と比較することによって着信の有無を判定する着信判定手段と、を具備する構成を採る。
【００２４】
この構成によれば、基地局装置において生成されたコマンドに基づいて移動局において着信判定手段が着信ありと誤って判定する所望の確率および着信なしと誤って判定する所望の確率を達成することができるから、基地局装置にとって所望の待ち受け時の消費電力および基地局装置にとって所望の着信時の着信待ち期間を達成することができる。
【００２５】
本発明の着信判定方法は、ページングインジケータの信号レベルの値を示す閾値を調整する閾値調整ステップと、前記ページングインジケータの受信信号レベルを前記閾値と比較することによって着信の有無を判定する着信判定ステップと、を具備するようにした。
【００２６】
この方法によれば、調整された閾値とページングインジケータの受信信号レベルとを比較することによって着信の有無を判定するため、着信判定ステップにおいて着信ありと誤って判定する確率および着信なしと誤って判定する確率を制御することができるから、待ち受け時の消費電力および着信時の着信待ち期間を制御することができる。
【００２７】
【発明の実施の形態】
本発明の骨子は、ページングインジケータの受信信号レベルとの比較に用いられる閾値を調整することである。
【００２８】
以下、本発明の実施の形態について、図面を参照して詳細に説明する。
【００２９】
（実施の形態１）
図１は、本発明の実施の形態１に係る着信判定装置の構成を示すブロック図である。
【００３０】
図１に示す着信判定装置１００は、アンテナ１０２、受信部１０４、受信信号レベル測定部１０６、閾値調整部１０８、着信判定部１１０および着信シーケンス制御部１１２を具備している。
【００３１】
受信部１０４の入力端子は、アンテナに接続されている。受信信号レベル測定部１０６の入力端子は、受信部１０４に接続されている。着信判定部１１０の入力端子は、閾値調整部１０８および受信信号レベル測定部１０６に接続されている。着信シーケンス制御部１１２の入力端子は、受信部１０４および着信判定部１１０に接続されている。
【００３２】
受信部１０４は、基地局装置（図示せず）から送信されたＰＩＣＨ上のＰＩを含む無線信号を、予め設定された間欠受信周期（たとえば、２秒）毎にアンテナ１０２を介して受信し、無線信号に含まれるＰＩを復調して、受信信号レベル測定部１０６へ出力する。なお、以下の説明において、ＰＩＣＨ上のＰＩを含む無線信号を、予め設定された間欠受信周期（たとえば、２秒）毎にアンテナ１０２を介して受信することを「ＰＩＣＨ受信を行う」と言う。
【００３３】
また、着信がある時に、受信部１０４は、基地局装置からＰＣＨを含む無線信号を受信して復調し、復調されたＰＣＨを着信シーケンス制御部１１２へ出力する。
【００３４】
受信信号レベル測定部１０６は、受信部１０４によって復調されたＰＩの受信信号レベルＲを測定する。そして、受信信号レベル測定部１０６は、測定された受信信号レベルＲを着信判定部１１０へ出力する。
【００３５】
着信判定部１１０は、受信信号レベル測定部１０６によって測定された受信信号レベルＲをＰＩの信号レベルの値を示す閾値Ｔｈと比較し、その比較の結果に基づいて着信の有無を判定し、着信判定結果を着信シーケンス制御部１１２へ出力する。
【００３６】
閾値調整部１０８は、受信信号レベル測定部１０６によって測定された受信信号レベルＲとの比較に用いられる閾値Ｔｈの値を調整する。そして、閾値調整部１０８は、調整された閾値Ｔｈを着信判定部１１０へ出力する。
【００３７】
着信シーケンス制御部１１２は、着信判定部１１０から得られた着信判定結果に基づいて、所定の着信処理を行う。着信判定部１１０による着信判定結果が着信なしである時、着信シーケンス制御部１１２は、次回のＰＩＣＨ受信の時まで着信判定装置１００を具備する移動局装置内の不要な部分（たとえば、アプリケーション用のＣＰＵなど）への電力の供給を停止する制御を行い、待ち受け時の消費電力を低減するよう制御する。一方、着信判定部１１０による着信判定結果が着信ありである時、着信シーケンス制御部１１２は、受信部１０４から得られたＰＣＨを用いてこの移動局装置宛てのページング情報を検出する。なお、以下の説明において、受信部１０４から得られたＰＣＨを用いてこの移動局装置宛てのページング情報を検出することを「ＰＣＨ受信を行う」と言う。そして、ＰＣＨにこの移動局装置宛てのページング情報がある場合は、着信シーケンス制御部１１２は、基地局と各種の制御情報を交換して接続状態に移行する。
【００３８】
次いで、上記構成を有する着信判定装置１００の動作について説明する。
【００３９】
図２は、着信判定装置１００が着信を判定する動作を説明するための図である。
【００４０】
＜Ａ．着信判定結果が着信なしの場合＞
まず、受信部１０４は、ＰＩＣＨ受信を行ってＰＩを復調する。そして、受信信号レベル測定部１０６は、ＰＩの受信信号レベルＲを測定する。そして、着信判定部１１０は、受信信号レベルＲを所定の閾値Ｔｈと比較する。比較の結果、受信信号レベルＲが閾値以上（Ｒ≧Ｔｈ）であれば、着信判定部１１０は着信なしと判定する。そして、着信シーケンス制御部１１２が、次回のＰＩＣＨ受信までこの移動局装置内の不要な部分への電力の供給を停止する制御を行い、待ち受け時の消費電力を低減する。
【００４１】
＜Ｂ．着信判定結果が着信ありの場合＞
まず、受信部１０４は、ＰＩＣＨ受信を行ってＰＩを復調する。そして、受信信号レベル測定部１０６は、ＰＩの受信信号レベルＲを測定する。そして、着信判定部１１０は、受信信号レベルＲを所定の閾値Ｔｈと比較する。比較の結果、受信信号レベルＲが閾値未満（Ｒ＜Ｔｈ）であれば、着信判定部１１０は着信ありと判定する。そして、着信シーケンス制御部１１２が、ＰＣＨ受信を行い、この移動局装置宛てのページング情報がある場合は基地局装置と各種の制御情報を交換して接続状態に移行する。
【００４２】
図３は、着信判定装置１００における閾値調整部１０８が閾値Ｔｈを調整する場合の動作の一例を説明するための図である。
【００４３】
図３の左側（Ａ）に示す図は、閾値調整部１０８が、閾値Ｔｈを調整する前の確率分布図であり、この時の閾値Ｔｈはゼロ（Ｔｈ＝０）である。この確率分布図において、曲線Ｃｎは、着信ありの場合の受信信号レベルＲに対する確率密度関数Ｐ（Ｒ）を表し、曲線Ｃｐは、着信なしの場合の受信信号レベルＲに対する確率密度関数Ｐ（Ｒ）を表す。また、この確率分布図における横軸上の点Ｓは着信なしの場合の平均受信信号レベルであり、点−Ｓは着信ありの場合の平均受信信号レベルである。そして、右下がりの斜線で塗りつぶされた領域の面積を算出することによって、閾値Ｔｈがゼロの時の誤検出率Ｐｆｄ０を得ることができる。また、右上がりの斜線で塗りつぶされた領域の面積を算出することによって、閾値Ｔｈがゼロの時の検出見逃し率Ｐｍｄ０を得ることができる。
【００４４】
図３の右側（Ｂ）に示す図は、閾値調整部１０８が閾値Ｔｈを調整した後の確率分布図である。この動作例において、閾値Ｔｈは正の値の方向へ調整されている。この場合、誤検出率ＰｆｄＴｈの値はＰｆｄ０の値より大きくなり、検出見逃し率ＰｍｄＴｈの値はＰｍｄ０の値より小さくなる。図３には示されていないが、閾値Ｔｈが負の値の方向へ調整されたとすると、誤検出率ＰｆｄＴｈの値はＰｆｄ０の値より小さくなり、検出見逃し率ＰｍｄＴｈの値はＰｍｄ０の値より大きくなる。このようにして閾値Ｔｈを調整することによって、誤検出率Ｐｆｄおよび検出見逃し率Ｐｍｄを制御することができる。
【００４５】
閾値調整部１０８が、誤検出率ＰｆｄＴｈの値をＰｆｄ０の値より大きくし、検出見逃し率ＰｍｄＴｈの値をＰｍｄ０の値より小さくすると、実際には着信ありであるにもかかわらず着信シーケンス制御部１１２がＰＣＨ受信を逃すことによって接続状態への移行が遅れてしまう頻度が少なくなるので、着信時の着信待ち期間が短縮される。また、閾値調整部１０８が、誤検出率ＰｆｄＴｈの値をＰｆｄ０の値より小さくし、検出見逃し率ＰｍｄＴｈの値をＰｍｄ０の値より大きくすると、実際には着信なしであるにもかかわらず着信シーケンス制御部１１２がＰＣＨ受信を行うことによって無駄に電力を消費してしまう頻度が少なくなるので、待ち受け時の消費電力が低減される。
【００４６】
なお、実施の形態１において、受信信号レベルＲが閾値Ｔｈ以上であるか閾値Ｔｈ未満であるかに依って判定を行っていたが、受信信号レベルＲが閾値Ｔｈより大きいか閾値以下であるかに依って判定を行っても良い。
【００４７】
このように、実施の形態１によれば、着信判定装置１００は、ＰＩの信号レベルの値を示す閾値Ｔｈを調整し、調整された閾値ＴｈとＰＩの受信信号レベルＲとを比較することによって着信の有無を判定するため、着信判定部１１０における誤検出率Ｐｆｄおよび検出見逃し率Ｐｍｄのような誤判定確率を制御することができるから、待ち受け時の消費電力および着信時の着信待ち期間を制御することができる。
【００４８】
（実施の形態２）
図４は、本発明の実施の形態２に係る着信判定装置の構成を示すブロック図である。なお、図４に示す着信判定装置４００は、図１に示す着信判定装置１００と同様の基本的構成を有しており、同一の構成要素には同一の参照符号を付し、その説明を省略する。
【００４９】
図４に示すように、着信判定装置４００は、図１の着信判定装置１００において、閾値調整部１０８の代わりに、受信品質測定部４０２、誤判定確率目標値設定部４０４、受信品質基準値設定部４０６および閾値算出部４０８を追加してなるものである。すなわち、着信判定装置４００は、アンテナ１０２、受信部１０４、受信信号レベル測定部１０６、着信判定部１１０、着信シーケンス制御部１１２、受信品質測定部４０２、誤判定確率目標値設定部４０４、受信品質基準値設定部４０６および閾値算出部４０８を具備している。
【００５０】
受信部１０４の入力端子は、アンテナ１０２に接続されている。受信信号レベル測定部１０６の入力端子は、受信部１０４に接続されている。受信品質測定部４０２の入力端子は、受信信号レベル測定部１０６に接続されている。受信品質基準値設定部４０６は、誤判定確率目標値設定部４０４に接続されている。閾値算出部４０８は、受信品質測定部４０２および受信品質基準値設定部４０６に接続されている。着信判定部１１０の入力端子は、受信信号レベル測定部１０６および閾値算出部４０８に接続されている。着信シーケンス制御部１１２の入力端子は、受信部１０４および着信判定部１１０に接続されている。
【００５１】
受信品質測定部４０２は、受信信号レベル測定部１０６によって測定されたＰＩの受信信号レベルＲに基づいてＰＩの受信品質ＳＩＲ（たとえば、希望波信号電力対雑音信号電力比）を測定し、受信品質測定値ＳＩＲＭを生成する。そして、受信品質測定部４０２は、測定された受信品質測定値ＳＩＲＭを閾値算出部４０８へ出力する。
【００５２】
誤判定確率目標値設定部４０４は、誤検出率Ｐｆｄの目標値または検出見逃し率Ｐｍｄの目標値を設定して、目標誤検出率ＰｆｄＴまたは目標検出見逃し率ＰｍｄＴを生成する。そして、誤判定確率目標値設定部４０４は、生成された目標誤検出率ＰｆｄＴまたは目標検出見逃し率ＰｍｄＴを受信品質基準値設定部４０６へ出力する。
【００５３】
なお、誤判定確率目標値設定部４０４は、生成された目標誤検出率ＰｆｄＴまたは目標検出見逃し率ＰｍｄＴを受信品質基準値設定部４０６とともに閾値算出部４０８へ出力しても良い。
【００５４】
受信品質基準値設定部４０６は、誤判定確率目標値設定部４０４によって生成された目標誤検出率ＰｆｄＴまたは目標検出見逃し率ＰｍｄＴに基づいてＰＩの受信品質の基準値を設定して、受信品質基準値ＳＩＲＴを生成する。そして、受信品質基準値設定部４０６は、生成された受信品質基準値ＳＩＲＴを閾値算出部４０８へ出力する。
【００５５】
閾値算出部４０８は、受信品質基準値設定部４０６によって生成されたＳＩＲＴおよび受信品質測定部４０２によって生成された受信品質測定値ＳＩＲＭに基づいて、着信判定部１１０において受信信号レベルＲとの比較に用いられる閾値Ｔｈの値を算出する。そして、閾値算出部４０８は、算出された閾値Ｔｈを着信判定部１１０へ出力する。
【００５６】
上記の受信品質測定部４０２、誤判定確率目標値設定部４０４、受信品質基準値設定部４０６および閾値算出部４０８の組み合わせは、着信判定部１１０において受信信号レベルＲとの比較に用いられる閾値Ｔｈの値を調整するための閾値調整ユニットを構成している。
【００５７】
次いで、上記構成を有する着信判定装置４００の動作について説明する。
【００５８】
図５は、本発明の実施の形態２に係る着信判定装置の動作を説明するためのフロー図である。
【００５９】
まず、ステップＳＴ５０１において、誤判定確率目標値設定部４０４は、誤検出率Ｐｆｄの目標値または検出見逃し率Ｐｍｄの目標値を設定して、目標誤検出率ＰｆｄＴまたは目標検出見逃し率ＰｍｄＴを生成する。
【００６０】
そして、ステップＳＴ５０２において、受信品質基準値設定部４０６は、誤判定確率目標値設定部４０４によって生成された目標誤検出率ＰｆｄＴまたは目標検出見逃し率ＰｍｄＴに基づいてＰＩの受信品質の基準値を設定して、受信品質基準値ＳＩＲＴを生成する。
【００６１】
ここで、受信品質の基準値を設定するための方法の一例について、図６を用いて説明する。
【００６２】
図６は、受信品質基準値設定部４０６において用いられる検出見逃し率Ｐｍｄの特性図である。誤判定確率目標値設定部４０４によって検出見逃し率Ｐｍｄの目標値が設定され目標検出見逃し率ＰｍｄＴが生成された場合、受信品質基準値設定部４０６は、図６に示す検出見逃し率Ｐｍｄの特性曲線Ｑを参照して、目標検出見逃し率ＰｍｄＴに対応する受信品質ＳＩＲを特定することによって受信品質ＳＩＲの基準値を設定し、この基準値を示す受信品質基準値ＳＩＲＴを生成する。
【００６３】
次に、ステップＳＴ５０３において、受信部１０４が、ＰＩＣＨ受信を行ってＰＩを復調する。そして、ステップＳＴ５０４において、受信信号レベル測定部１０６が、ＰＩの受信信号レベルＲを測定する。そして、ステップＳＴ５０５において、受信信号レベル測定部１０６によって測定されたＰＩの受信信号レベルＲを用いて、ＰＩの受信品質を測定して、受信品質測定値ＳＩＲＭを生成する。
【００６４】
そして、ステップＳＴ５０６において、閾値算出部４０８が、受信品質基準値設定部４０６によって生成された受信品質基準値ＳＩＲＴおよび受信品質測定部４０２によって生成された受信品質測定値ＳＩＲＭに基づいて、着信判定部１１０において受信信号レベルＲとの比較に用いられる閾値Ｔｈの値を算出する。
【００６５】
ここで、閾値を算出するための方法の一例について、図７を用いて説明する。図７は、着信判定装置４００における閾値算出部４０８の動作の原理を説明するための図である。なお、ここで説明される例は、雑音信号電力レベルＮが常に一定であることを前提とする。
【００６６】
図７の左側（Ａ）に示す図および中央（Ｂ）に示す図は、閾値算出部４０８が、閾値Ｔｈを算出する前の確率分布図である。新しい値が算出される前の現在の閾値Ｔｈは、ゼロに設定されているとする。まず、現在の閾値Ｔｈ（Ｔｈ＝０）および受信品質基準値設定部４０６によって生成された受信品質基準値ＳＩＲＴに基づいて、図７の左側（Ａ）の確率分布図に示す確率密度関数Ｐ（Ｒ）が生成される。なお、この確率分布図における横軸上の点Ｓ’は、着信なしの場合における平均受信信号レベルの目標値であり、点−Ｓ’は着信ありの場合における平均受信信号レベルの目標値である。すなわち、受信品質基準値ＳＩＲＴの値は、Ｓ’／Ｎによって求められる。誤判定確率目標値設定部４０４によって生成された目標検出見逃し率ＰｍｄＴおよび目標検出見逃し率ＰｍｄＴに対応する目標誤検出率ＰｆｄＴは、この図に示されるとおりである。
【００６７】
そして、現在の閾値Ｔｈ（Ｔｈ＝０）および受信品質測定部４０２によって生成された受信品質測定値ＳＩＲＭ（ＳＩＲＭ＝Ｓ／Ｎ）に基づいて、図７の中央（Ｂ）の確率分布図に示す確率密度関数Ｐ（Ｒ）が生成される。なお、この例において用いられる受信品質測定値ＳＩＲＭの値は、図６の特性図に示されるとおりである。そして、この確率分布図から、受信品質測定値ＳＩＲＭに基づく誤検出率Ｐｆｄおよび検出見逃し率Ｐｍｄとして、測定誤検出率ＰｆｄＭおよび測定検出見逃し率ＰｍｄＭが算出される。
【００６８】
そして、受信品質測定値ＳＩＲＭに基づいて生成された確率密度関数Ｐ（Ｒ）を用いて、閾値算出後の検出見逃し率ＰｍｄＡが目標検出見逃し率ＰｍｄＴと同値になるように閾値Ｔｈが算出される。
【００６９】
ここで、算出すべき閾値Ｔｈの値をｋＳ（Ｔｈ＝ｋＳ：ｋはゼロ以上の定数）とする。閾値算出後の検出見逃し率ＰｍｄＡが目標検出見逃し率ＰｍｄＴと同値になるような閾値Ｔｈを導出できる条件は、図７に示された確率分布図に基づいて、次の（式１）で表される。
Ｓ＋ｋＳ＝Ｓ’　…　（式１）
したがって、定数ｋは、次の（式２）によって得られる。
ｋ＝（Ｓ’−Ｓ）／Ｓ　…　（式２）
【００７０】
そして、上記の（式２）の右辺の分母および分子を雑音信号電力レベルＮで割ると、次の（式３）が得られる。
ｋ＝（Ｓ’／Ｎ−Ｓ／Ｎ）／Ｓ／Ｎ　…　（式３）
故に、定数ｋの値は、次の（式４）によって算出される。
ｋ＝（ＳＩＲＴ−ＳＩＲＭ）／ＳＩＲＭ　…　（式４）
【００７１】
したがって、新しい閾値Ｔｈは、次の（式５）によって算出される。
Ｔｈ＝ｋＳ＝（ＳＩＲＴ−ＳＩＲＭ）／ＳＩＲＭ×Ｓ　…　（式５）
閾値算出部４０８は、この（式５）を用いて、閾値Ｔｈの算出を行う。
【００７２】
なお、実施の形態２において、閾値算出部４０８は、上記の（式５）を用いて閾値Ｔｈを算出するが、この方法には限定されない。たとえば、閾値算出部４０８が、受信品質測定値ＳＩＲＭ、目標誤検出率Ｐｆｄ、目標検出見逃し率Ｐｍｄ、受信品質基準値ＳＩＲＴなどの様々な数値に対応する閾値Ｔｈをテーブルとして予め記憶しておき、このテーブルを利用して閾値Ｔｈを取得しても良い。
【００７３】
そして、ステップＳＴ５０７において、着信判定部１１０が、受信信号レベル測定部１０６によって測定された受信信号レベルＲを、閾値算出部４０８によって算出された閾値Ｔｈと比較することによって着信を判定する。判定の結果、受信信号レベルＲが閾値未満（ＳＴ５０７：ＹＥＳ）である時に、ステップＳＴ５０８において、着信シーケンス制御部１１２が、ＰＣＨ受信を行う。一方、判定の結果、受信信号レベルＲが閾値以上（ＳＴ５０７：ＮＯ）である時に、ステップＳＴ５０９において、着信シーケンス制御部１１２が、次回のＰＩＣＨ受信までこの移動局装置内の不要な部分への電力の供給を停止する制御を行った後、ステップＳＴ５０３へ戻り、受信部１０４がＰＩＣＨ受信を行う。
【００７４】
なお、実施の形態２において、受信品質測定部４０２、誤判定確率目標値設定部４０４および受信品質基準値設定部４０６の少なくとも１つと閾値算出部４０８との組み合わせが閾値調整ユニットを構成しても良い。
【００７５】
たとえば、受信品質測定部４０２および閾値算出部４０８の組み合わせが閾値調整ユニットを構成する場合、閾値算出部４０８は、受信品質測定部４０２によって生成された受信品質測定値ＳＩＲＭに基づいて閾値Ｔｈの算出を行う。また、誤判定確率目標値設定部４０４および閾値算出部４０８との組み合わせが閾値調整ユニットを構成する場合、閾値算出部４０８は、誤判定確率目標値設定部４０４によって生成された目標誤検出率ＰｆｄＴまたは目標検出見逃し率ＰｍｄＴに基づいて閾値Ｔｈの算出を行う。さらに、受信品質基準値設定部４０６および閾値算出部４０８の組み合わせが閾値構成ユニットを構成する場合、閾値算出部４０８は、受信品質基準値設定部４０６によって生成された受信品質基準値ＳＩＲＴに基づいて閾値Ｔｈの算出を行う。さらに、受信品質測定部４０２、誤判定確率目標値設定部４０４および閾値算出部４０８の組み合わせが閾値構成ユニットを構成する場合、閾値算出部４０８は、受信品質測定部４０２によって生成された受信品質測定値ＳＩＲＭおよび誤判定確率目標値設定部４０４によって生成された目標誤検出率ＰｆｄＴまたは目標検出見逃し率ＰｍｄＴに基づいて閾値Ｔｈの算出を行う。さらに、受信品質測定部４０２、受信品質基準値設定部４０６および閾値算出部４０８の組み合わせが閾値調整ユニットを構成する場合、閾値算出部４０８は、受信品質測定部４０２によって生成された受信品質測定値ＳＩＲＭおよび受信品質基準値設定部４０６によって生成された受信品質基準値ＳＩＲＴに基づいて閾値Ｔｈの算出を行う。
【００７６】
このように、実施の形態２によれば、閾値調整ユニットは、ＰＩの受信品質を測定して受信品質測定値ＳＩＲＭを生成し、生成された受信品質測定値ＳＩＲＭに基づいて閾値Ｔｈの調整を行うため、ＰＩの受信品質に基づいて着信判定部１１０における目標誤検出率ＰｆｄＴおよび目標検出見逃し率ＰｍｄＴのような所望の誤判定確率を達成することができるから、ユーザにとって所望の待ち受け時の消費電力およびユーザにとって所望の着信時の着信待ち期間を達成することができる。
【００７７】
また、実施の形態２によれば、閾値調整ユニットは、ＰＩの受信品質基準値ＳＩＲＴを設定し、設定された受信品質基準値ＳＩＲＴに基づいて閾値Ｔｈの調整を行うため、ＰＩの受信品質基準値ＳＩＲＴに基づいて着信判定部１１０における目標誤検出率ＰｆｄＴおよび目標検出見逃し率ＰｍｄＴのような所望の誤判定確率を達成することができるから、ユーザにとって所望の待ち受け時の消費電力およびユーザにとって所望の着信時の着信待ち期間を達成することができる。
【００７８】
また、実施の形態２によれば、閾値調整ユニットは、目標誤検出率ＰｆｄＴおよび目標検出見逃し率ＰｍｄＴを決定し、決定された目標値誤検出率ＰｆｄＴおよび目標検出見逃し率ＰｍｄＴに基づいて閾値Ｔｈの調整を行うため、目標誤検出率ＰｆｄＴおよび目標検出見逃し率ＰｍｄＴに基づいて着信判定部１１０における目標誤検出率ＰｆｄＴおよび目標検出見逃し率ＰｍｄＴのような所望の誤判定確率を達成することができるから、ユーザにとって所望の待ち受け時の消費電力およびユーザにとって所望の着信時の着信待ち期間を達成することができる。
【００７９】
（実施の形態３）
図８は、本発明の実施の形態３に係る着信判定装置の構成を示すブロック図である。なお、図８に示す着信判定装置８００は、図４に示す着信判定装置４００と同様の基本的構成を有しており、同一の構成要素には同一の参照符号を付し、その説明を省略する。
【００８０】
図８に示すように、着信判定装置８００は、図４の着信判定装置４００において、誤判定確率目標値設定部４０４の代わりに、残存電荷量検出部８０２および誤判定確率目標値設定部８０４を追加してなるものである。すなわち、着信判定装置８００は、アンテナ１０２、受信部１０６、着信判定部１１０、着信シーケンス制御部１１２、受信品質測定部４０２、受信品質基準値設定部４０６、閾値算出部４０８、残存電荷量検出部８０２および誤判定確率目標値設定部８０４を具備している。
【００８１】
受信部１０４の入力端子は、アンテナ１０２に接続されている。受信信号レベル測定部１０６の入力端子は、受信部１０４に接続されている。受信品質測定部４０２の入力端子は、受信信号レベル測定部１０６に接続されている。誤判定確率目標値設定部８０４の入力端子は、残存電荷量検出部８０２に接続されている。受信品質基準値設定部４０６は、誤判定確率目標値設定部８０４に接続されている。閾値算出部４０８は、受信品質測定部４０２および受信品質基準値設定部４０６に接続されている。着信判定部１１０の入力端子は、受信信号レベル測定部１０６および閾値算出部４０８に接続されている。着信シーケンス制御部１１２の入力端子は、受信部１０４および着信判定部１１０に接続されている。
【００８２】
残存電荷量検出部８０２は、上記の各構成要素の駆動に用いられる電池の残存電荷量Ｂを検出する。そして、残存電荷量検出部８０２は、検出された残存電荷量Ｂがある特定のレベルＬ以上（つまり、残存電荷量が十分な状態）であるか未満（つまり、残存電荷量が少ない状態）であるかを判定し、その判定結果を誤判定確率目標値設定部８０４へ出力する。
【００８３】
なお、残存電荷量検出部８０２は、判定結果を誤判定確率目標値設定部８０４の代わりに閾値算出部４０８へ出力しても良い。この場合、閾値算出部４０８は、残存電荷量検出部８０２から得られた判定結果に基づいて閾値Ｔｈの算出を行う。
【００８４】
誤判定確率目標値設定部８０４は、残存電荷量検出部８０２から得られた判定結果に基づいて、誤検出率Ｐｆｄの目標値または検出見逃し率Ｐｍｄの目標値を設定して、目標誤検出率ＰｆｄＴまたは目標検出見逃し率ＰｍｄＴを生成する。具体的には、誤判定確率目標値設定部８０４は、検出された残存電荷量ＢがレベルＬ以上（Ｂ≧Ｌ）である時に着信判定装置８００が所望の着信待ち期間で接続状態に移行できるような目標検出見逃し率ＰｍｄＴを設定し、検出された残存電荷量ＢがレベルＬ未満（Ｂ＜Ｌ）である時に着信判定装置８００が所望の消費電力で待ち受けできるような目標誤検出率ＰｆｄＴを設定する。そして、誤判定確率目標値設定部８０４は、設定された目標検出見逃し率ＰｍｄＴおよび目標誤検出率ＰｆｄＴを受信品質基準値設定部４０６へ出力する。
【００８５】
上記の受信品質測定部４０２、残存電荷量検出部８０２、誤判定確率目標値設定部８０４、受信品質基準値設定部４０６および閾値算出部４０８の組み合わせは、着信判定部１１０において受信信号レベルＲとの比較に用いられる閾値Ｔｈの値を調整するための閾値調整ユニットを構成している。
【００８６】
なお、実施の形態３において、受信品質測定部４０２、残存電荷量検出部８０２、誤判定確率目標値設定部８０４および受信品質基準値設定部４０６の少なくとも１つと閾値算出部４０８との組み合わせが閾値調整ユニットを構成しても良い。
【００８７】
たとえば、残存電荷量検出部８０２および閾値算出部４０８の組み合わせが閾値調整ユニットを構成する場合、閾値算出部４０８は、残存電荷量検出部８０２から得られた判定結果に基づいて閾値Ｔｈの算出を行う。また、残存電荷量検出部８０２、誤判定確率目標値設定部８０４および閾値算出部４０８の組み合わせが閾値調整ユニットを構成する場合、閾値算出部４０８は、誤判定確率目標値設定部８０４によって生成された目標誤検出率ＰｆｄＴまたは目標検出見逃し率ＰｍｄＴに基づいて閾値Ｔｈの算出を行う。さらに、残存電荷量検出部８０２、受信品質基準値設定部４０６および閾値算出部４０８の組み合わせが閾値構成ユニットを構成する場合、受信品質基準値設定部４０６は、残存電荷量検出部８０２から得られた判定結果に基づいて受信品質基準値ＳＩＲＴを生成し、閾値算出部４０８は、受信品質基準値設定部４０６によって生成された受信品質基準値ＳＩＲＴに基づいて閾値Ｔｈの算出を行う。さらに、受信品質測定部４０２、残存電荷量検出部８０２および閾値算出部４０８の組み合わせが閾値調整ユニットを構成する場合、閾値算出部４０８は、受信品質測定部４０２によって生成された受信品質測定値ＳＩＲＭおよび残存電荷量検出部８０２から得られた判定結果に基づいて閾値Ｔｈの算出を行う。さらに、受信品質測定部４０２、残存電荷量検出部８０２、誤判定確率目標値設定部８０４および閾値算出部４０８の組み合わせが閾値調整ユニットを構成する場合、閾値算出部４０８は、受信品質測定部４０２によって生成された受信品質測定値ＳＩＲＭおよび誤判定確率目標値設定部８０４によって生成された目標誤検出率ＰｆｄＴまたは目標検出見逃し率ＰｍｄＴに基づいて閾値Ｔｈの算出を行う。さらに、受信品質測定部４０２、残存電荷量検出部８０２、受信品質基準値設定部４０６および閾値算出部４０８の組み合わせが閾値調整ユニットを構成する場合、受信品質基準値設定部４０６は、残存電荷量検出部８０２から得られた判定結果に基づいて受信品質基準値ＳＩＲＴを生成し、閾値算出部４０８は、受信品質測定部４０２によって生成された受信品質測定値ＳＩＲＭおよび受信品質基準値設定部４０６によって生成された受信品質基準値ＳＩＲＴに基づいて閾値Ｔｈの算出を行う。
【００８８】
このように、実施の形態３によれば、閾値調整ユニットは、閾値調整ユニットおよび着信判定部１１０の駆動に用いられる電池の残存電荷量Ｂを検出し、検出された残存電荷量Ｂに基づいて閾値Ｔｈの調整を行うため、検出された残存電荷量Ｂに基づいて着信判定部１１０における目標誤検出率ＰｆｄＴおよび目標検出見逃し率ＰｍｄＴのような所望の誤判定確率を達成することができるから、ユーザにとって所望の待ち受け時の消費電力およびユーザにとって所望の着信時の着信待ち期間を達成することができる。
【００８９】
（実施の形態４）
図９は、本発明の実施の形態４に係る着信判定装置の構成を示すブロック図である。なお、図９に示す着信判定装置９００は、図４に示す着信判定装置４００と同様の基本的構成を有しており、同一の構成要素には同一の参照符号を付し、その説明を省略する。
【００９０】
図９に示すように、着信判定装置９００は、図４の着信判定装置４００において、受信部１０４、着信シーケンス制御部１１２および誤判定確率目標値設定部４０４の代わりに、受信部９０２、間欠受信周期制御部９０４、着信シーケンス制御部９０６および誤判定確率目標値設定部９０８を追加してなるものである。すなわち、着信判定装置９００は、アンテナ１０２、受信信号レベル１０６、着信判定部１１０、受信品質測定部４０２、受信品質基準値設定部４０６、閾値算出部４０８、受信部９０２、間欠受信周期制御部９０４、着信シーケンス制御部９０６および誤判定確率目標値設定部９０８を具備している。
【００９１】
受信部９０２の入力端子は、アンテナ１０２および間欠受信周期制御部９０４に接続されている。受信信号レベル測定部１０６の入力端子は、受信部９０２に接続されている。受信品質測定部４０２の入力端子は、受信信号レベル測定部１０６に接続されている。誤判定確率目標値設定部９０８の入力端子は、間欠受信周期制御部９０４に接続されている。受信品質基準値設定部４０６は、誤判定確率目標値設定部９０８に接続されている。閾値算出部４０８は、受信品質測定部４０２および受信品質基準値設定部４０６に接続されている。着信判定部１１０の入力端子は、受信信号レベル測定部１０６および閾値算出部４０８に接続されている。着信シーケンス制御部９０６の入力端子は、受信部９０２、着信判定部１１０および間欠受信周期制御部９０４に接続されている。
【００９２】
受信部９０２は、基地局装置（図示せず）から送信されたＰＩＣＨ上のＰＩを含む無線信号を、間欠受信周期制御部９０４によって予め設定された間欠受信周期Ｉ（たとえば、２秒）毎にアンテナ１０２を介して受信し、無線信号に含まれるＰＩを復調して、受信信号レベル測定部１０６へ出力する。
【００９３】
また、着信がある時に、受信部９０２は、基地局装置からＰＣＨを含む無線信号を受信して復調し、復調されたＰＣＨを着信シーケンス制御部９０６へ出力する。
【００９４】
間欠受信周期制御部９０４は、受信部９０２における間欠受信周期Ｉを設定する。そして、設定された間欠受信周期Ｉを受信部９０２、着信シーケンス制御部９０６および誤判定確率目標値設定部９０８へ出力する。
【００９５】
なお、間欠受信周期制御部９０４は、設定された間欠受信周期Ｉを誤判定確率目標値設定部９０８の代わりに閾値算出部４０８へ出力しても良い。この場合、閾値算出部４０８は、間欠受信周期制御部９０４から得られた間欠受信周期Ｉに基づいて閾値Ｔｈの算出を行う。
【００９６】
誤判定確率目標値設定部９０８は、間欠受信周期制御部９０４によって設定された間欠受信周期Ｉを取得して、この間欠受信周期Ｉに基づいて、誤検出率Ｐｆｄの目標値または検出見逃し率Ｐｍｄの目標値を設定して、目標誤検出率ＰｆｄＴまたは目標検出見逃し率ＰｍｄＴを生成する。そして、誤判定確率目標値設定部９０８は、生成された目標誤検出率ＰｆｄＴまたは目標検出見逃し率ＰｍｄＴを受信品質基準値設定部４０６へ出力する。
【００９７】
ここで、具体的な誤判定確率の目標値を設定する方法の一例について説明する。この例において、誤判定確率目標値設定部９０８は、確率Ｐｘおよび着信待ち期間Ｔを予め記憶しており、着信待ち期間Ｔは、間欠受信周期Ｉおよび目標検出見逃し率ＰｍｄＴを用いて、次の（式６）で表される。
Ｔ＝Ｉ（１−ＰｍｄＴ）＋２ＩＰｍｄＴ（１−ＰｍｄＴ）＋３ＩＰｍｄＴ２（１−ＰｍｄＴ）＋…　　…　（式６）
この（式６）で表されるように、間欠受信周期Ｉおよび目標検出見逃し率ＰｍｄＴの値が設定されれば、着信時における着信待ち期間Ｔを達成することができる。
【００９８】
そして、所望の確率Ｐｘでこの着信待ち期間Ｔを達成できる目標検出見逃し率ＰｍｄＴは、次の（式７）で求められる。
ＰｍｄＴ＝（１−Ｐｘ）（Ｉ／Ｔ）　…　（式７）
誤判定確率目標値設定部９０８は、この（式７）を用いて、目標検出見逃し率ＰｍｄＴを設定する。
【００９９】
なお、誤判定確率の目標値を設定する方法は、上記のものに限定されない。たとえば、誤判定確率目標値設定部９０８は、間欠受信周期制御部９０４によって設定された間欠受信周期Ｉに基づいて、所望の消費電力で待ち受けできるような目標誤検出率ＰｆｄＴを設定しても良い。
【０１００】
上記の受信品質測定部４０２、間欠受信周期制御部９０４、誤判定確率目標値設定部９０８、受信品質基準値設定部４０６および閾値算出部４０８の組み合わせは、着信判定部１１０において受信信号レベルＲとの比較に用いられる閾値Ｔｈの値を調整するための閾値調整ユニットを構成している。
【０１０１】
なお、実施の形態４において、受信品質測定部４０２、間欠受信周期制御部９０４、誤判定確率目標値設定部９０８および受信品質基準値設定部４０６の少なくとも１つと閾値算出部４０８との組み合わせが閾値構成ユニットを構成しても良い。
【０１０２】
たとえば、間欠受信周期制御部９０４および閾値算出部４０８の組み合わせが閾値調整ユニットを構成する場合、閾値算出部４０８は、間欠受信周期制御部９０４から得られた間欠受信周期Ｉに基づいて閾値Ｔｈの算出を行う。また、間欠受信周期制御部９０４、誤判定確率目標値設定部９０８および閾値算出部４０８の組み合わせが閾値構成ユニットを構成する場合、閾値算出部４０８は、誤判定確率目標値設定部９０８によって生成された目標誤検出率ＰｆｄＴまたは目標検出見逃し率ＰｍｄＴに基づいて閾値Ｔｈの算出を行う。さらに、間欠受信周期制御部９０４、受信品質基準値設定部４０６および閾値算出部４０８の組み合わせが閾値構成ユニットを構成する場合、受信品質基準値設定部４０６は、間欠受信周期制御部９０４から得られた間欠受信周期Ｉに基づいて受信品質基準値ＳＩＲＴを生成し、閾値算出部４０８は、受信品質基準値設定部４０６によって生成された受信品質基準値ＳＩＲＴに基づいて閾値Ｔｈの算出を行う。さらに、受信品質測定部４０２、間欠受信周期制御部９０４および閾値算出部４０８の組み合わせが閾値調整ユニットを構成する場合、閾値算出部４０８は、受信品質測定部４０２によって生成された受信品質測定値ＳＩＲＭおよび間欠受信周期制御部９０４から得られた間欠受信周期Ｉに基づいて閾値Ｔｈの算出を行う。さらに、受信品質測定部４０２、間欠受信周期制御部９０４、誤判定確率目標値設定部９０８および閾値算出部４０８の組み合わせが閾値調整ユニットを構成する場合、閾値算出部４０８は、受信品質測定部４０２によって生成された受信品質測定値ＳＩＲＭおよび誤判定確率目標値設定部９０８によって生成された目標誤検出率ＰｆｄＴまたは目標検出見逃し率ＰｍｄＴに基づいて閾値Ｔｈの算出を行う。さらに、受信品質測定部４０２、間欠受信周期制御部９０４、受信品質基準値設定部４０６および閾値算出部４０８の組み合わせが閾値調整ユニットを構成する場合、受信品質基準値設定部４０６は、間欠受信周期制御部９０４から得られた間欠受信周期Ｉに基づいて受信品質基準値ＳＩＲＴを生成し、閾値算出部４０８は、受信品質測定部４０２によって生成された受信品質測定値ＳＩＲＭおよび受信品質基準値設定部４０６によって生成された受信品質基準値ＳＩＲＴに基づいて閾値Ｔｈの算出を行う。
【０１０３】
着信シーケンス制御部９０６は、着信判定部１１０から得られた着信判定結果に基づいて、所定の着信処理を行う。着信判定部１１０による着信判定結果が着信なしである時、着信シーケンス制御部９０６は、間欠受信周期制御部９０４によって設定された間欠受信周期Ｉに従って、次回のＰＩＣＨ受信の時まで着信判定装置９００を具備する移動局装置内の不要な部分（たとえば、アプリケーション用のＣＰＵなど）への電力の供給を停止する制御を行い、待ち受け時の消費電力を低減するよう制御する。一方、着信判定部１１０による着信判定結果が着信ありである時、着信シーケンス制御部９０６は、受信部９０２から得られたＰＣＨを用いてこの移動局装置宛てのページング情報を検出する。そして、ＰＣＨにこの移動局装置宛てのページング情報がある場合は、着信シーケンス制御部９０６は、基地局と各種の制御情報を交換して接続状態に移行する。
【０１０４】
このように、実施の形態４によれば、閾値調整ユニットは、ＰＩを間欠的に受信する間欠受信周期Ｉを取得し、取得された間欠受信周期Ｉに基づいて閾値Ｔｈの調整を行うため、取得された間欠受信周期Ｉに基づいて着信判定部１１０における目標誤検出率ＰｆｄＴおよび目標検出見逃し率ＰｍｄＴのような所望の誤判定確率を達成することができるから、ユーザにとって所望の待ち受け時の消費電力およびユーザにとって所望の着信時の着信待ち期間を達成することができる。
【０１０５】
（実施の形態５）
図１０は、本発明の実施の形態５に係る移動体通信システムの構成を示すブロック図である。
【０１０６】
図１０に示す移動体通信システム１０００は、基地局装置１００２および移動局装置１００４を具備している。基地局装置１００２は、アンテナ１００６、閾値調整コマンド生成部１００８、ページングインジケータ生成部１０１０、ページング情報生成部１０１２および送信部１０１４を具備している。また、移動局装置は、着信判定装置１０１６を具備している。着信判定装置１０１６は、図４に示す着信判定装置４００と同様の基本的構成を有しており、同一の構成要素には同一の参照符号を付し、その説明を省略する。着信判定装置１０１６は、図４の着信判定装置４００において、受信部１０４および受信品質基準値設定部４０４の代わりに、受信部１０１８、コマンド復調部１０２０および受信品質基準値設定部１０２２を追加してなるものである。すなわち、着信判定装置１０１６は、アンテナ１０２、受信信号レベル測定部１０６、着信判定部１１０、着信シーケンス制御部１１２、受信品質測定部４０２および閾値算出部４０８、受信部１０１８、コマンド復調部１０２０および受信品質基準値設定部１０２２を具備している。
【０１０７】
基地局装置１００２において、ページングインジケータ生成部１０１０は、移動局装置１００４宛ての呼び出しの有無に応じて移動局装置１００４宛ての着信があるか否かを示すＰＩを生成する。そして、ページングインジケータ生成部１０１０は、生成されたＰＩを送信部１０１４へ出力する。
【０１０８】
ページング情報生成部１０１２は、移動局装置１００４宛ての着信がある時に、移動局装置１００４宛てのページング情報を生成する。そして、ページング情報生成部１０１２は、生成されたページング情報を送信部１０１４へ出力する。
【０１０９】
閾値調整コマンド生成部１００８は、誤判定確率の目標値として、目標誤検出率ＰｆｄＴまたは目標検出見逃し率ＰｍｄＴを設定し、設定された目標誤検出率ＰｆｄＴまたは目標検出見逃し率ＰｍｄＴに基づいて着信判定部１１０において用いられる閾値Ｔｈを調整するためのコマンドを生成する。そして、閾値調整コマンド生成部１００８は、生成されたコマンドを送信部１０１４へ出力する。
【０１１０】
なお、誤判定確率の目標値を設定する方法の一例としては、過去の移動局装置１００４の着信待ち期間を統計的に調査し、その調査結果に基づいて閾値調整コマンド生成部１００８が目標検出見逃し率ＰｍｄＴを設定する。
【０１１１】
また、他の例としては、基地局装置１００２がカバーするエリア内に存在する移動局装置の数の増減を調査し、その調査結果に基づいて閾値調整コマンド生成部１００８が目標誤検出率ＰｆｄＴまたは目標検出見逃し率ＰｍｄＴを設定する。たとえば、移動局装置の数が増加した場合、そのエリアにおけるＰＩの受信品質の低下に伴う誤検出率Ｐｆｄおよび検出見逃し率Ｐｍｄの上昇を抑制するために、閾値調整コマンド生成部１００８が任意の目標検出見逃し率ＰｍｄＴを設定する。
【０１１２】
また、閾値調整コマンド生成部１００８によって生成されるコマンドは、誤判定確率の目標値を示すものでも良いし、誤判定確率の目標値の増減値を示すものでも良い。
【０１１３】
送信部１０１４は、ページングインジケータ生成部１０１０によって生成されたＰＩを変調することによってＰＩＣＨの無線信号を生成して、アンテナ１００６を介して移動局装置１００４へ送信する。また、送信部１０１４は、移動局装置１００４宛ての着信がある時に、ページング情報生成部１０１２によって生成されたページング情報を変調することによってＰＣＨの無線信号を生成して、アンテナ１００６を介して移動局装置１００４へ送信する。さらに、送信部１０１４は、閾値調整コマンド生成部１００８によってコマンドが生成された場合、生成されたコマンドを変調することによって所定の制御用チャネルの無線信号を生成して、アンテナ１００６を介して移動局装置１００４へ送信する。
【０１１４】
移動局装置１００４の着信判定装置１０１６において、受信部１０１８は、基地局装置１００２から送信されたＰＩＣＨの無線信号を、予め設定された間欠受信周期（たとえば、２秒）毎にアンテナ１０２を介して受信し、無線信号に含まれるＰＩを復調して、受信信号レベル測定部１０６へ出力する。また、受信部１０１８は、着信がある時に、基地局装置１００２からＰＣＨの無線信号を受信して復調し、復調されたＰＣＨを着信シーケンス制御部１１２へ出力する。さらに、受信部１０１８は、ＰＩＣＨの無線信号を間欠的に受信する際に基地局装置１００２から送信されたコマンドを受信した場合は、受信されたコマンドをコマンド復調部１０２０へ出力する。
【０１１５】
コマンド復調部１０２０は、受信部１０１８から得られたコマンドを復調して、復調されたコマンドを受信品質基準値設定部１０２２へ出力する。
【０１１６】
なお、コマンド復調部１０２０は、復調されたコマンドを受信品質基準値設定部１０２２の代わりに閾値算出部４０８へ出力しても良い。この場合、閾値算出部４０８は、コマンド復調部１０２０から得られたコマンドに基づいて閾値Ｔｈを算出する。
【０１１７】
受信品質基準値設定部１０２２は、コマンド復調部１０２０から得られたコマンドから目標誤検出率ＰｆｄＴまたは目標検出見逃し率ＰｍｄＴを取得し、取得された目標誤検出率ＰｆｄＴまたは目標検出見逃し率ＰｍｄＴに基づいて受信品質基準値ＳＩＲＴを設定する。なお、具体的な受信品質基準値ＳＩＲＴの設定方法は、実施の形態２における受信品質基準値設定部４０６と同様である。
【０１１８】
上記のコマンド復調部１０２０、受信品質基準値設定部１０２２、受信品質測定部４０２および閾値算出部４０８の組み合わせは、着信判定部１１０において用いられる閾値Ｔｈを調整するための閾値調整ユニットを構成している。
【０１１９】
なお、実施の形態５において、受信品質測定部４０２、コマンド復調部１０２０および受信品質基準値設定部１０２２の少なくとも１つと閾値算出部４０８との組み合わせが閾値構成ユニットを構成しても良い。
【０１２０】
たとえば、コマンド復調部１０２０および閾値算出部４０８の組み合わせが閾値構成ユニットを構成する場合、閾値算出部４０８は、コマンド復調部１０２０によって復調されたコマンドに基づいて閾値Ｔｈの算出を行う。また、受信品質測定部４０２、コマンド復調部１０２０および閾値算出部４０８の組み合わせが閾値構成ユニットを構成する場合、閾値算出部４０８は、受信品質測定部４０２によって生成されたＳＩＲＭおよびコマンド復調部１０２０によって復調されたコマンドに基づいて閾値Ｔｈの算出を行う。さらに、コマンド復調部１０２０、受信品質基準値設定部１０２２および閾値算出部４０８の組み合わせが閾値構成ユニットを構成する場合、閾値算出部４０８は、受信品質基準値設定部１０２２によって生成された受信品質基準値ＳＩＲＴに基づいて閾値Ｔｈの算出を行う。
【０１２１】
このように、実施の形態５によれば、閾値調整ユニットは、閾値Ｔｈを調整するためのコマンドを復調し、復調されたコマンドに基づいて閾値Ｔｈの調整を行うため、復調されたコマンドに基づいて着信判定部１１０における目標誤検出率ＰｆｄＴおよび目標検出見逃し率ＰｍｄＴのような所望の誤判定確率を達成することができるから、待ち受け時の所望の消費電力および着信時の所望の着信待ち期間を達成することができる。
【０１２２】
また、実施の形態５によれば、基地局装置１００２が、閾値Ｔｈを調整するためのコマンドを生成し生成されたコマンドを送信し、移動局装置１００４が送信されたコマンドを受信し、受信されたコマンドに基づいて閾値Ｔｈを調整し、調整された閾値ＴｈとＰＩの受信信号レベルＲとを比較することによって着信の有無を判定するため、基地局装置１００２において生成されたコマンドに基づいて移動局装置１００４の着信判定部１１０における目標誤検出率ＰｆｄＴおよび目標検出見逃し率ＰｍｄＴのような所望の誤判定確率を達成することができるから、基地局装置１００２にとって所望の待ち受け時の消費電力および基地局装置１００２にとって所望の着信時の着信待ち期間を達成することができる。
【０１２３】
【発明の効果】
以上説明したように、本発明によれば、ページングインジケータの受信信号レベルとの比較に用いられる閾値を調整することによって、待ち受け時の消費電力および着信時の着信待ち期間を制御することができる。
【図面の簡単な説明】
【図１】本発明の実施の形態１に係る着信判定装置の構成を示すブロック図
【図２】本発明の実施の形態１に係る着信判定装置が着信を判定する動作を説明するための図
【図３】本発明の実施の形態１に係る着信判定装置における閾値調整部が閾値を調整する場合の動作の一例を説明するための図
【図４】本発明の実施の形態２に係る着信判定装置の構成を説明するためのブロック図
【図５】本発明の実施の形態２に係る着信判定装置の動作を説明するためのフロー図
【図６】本発明の実施の形態２に係る着信判定装置の受信品質基準値設定部において用いられる検出見逃し率の特性図
【図７】本発明の実施の形態２に係る着信判定装置の閾値算出部の動作の原理を説明するための図
【図８】本発明の実施の形態３に係る着信判定装置の構成を示すブロック図
【図９】本発明の実施の形態４に係る着信判定装置の構成を示すブロック図
【図１０】本発明の実施の形態５に係る移動体通信システムの構成を示すブロック図
【符号の説明】
１００、４００、８００、９００、１０１６　着信判定装置
１０２、１００６　アンテナ
１０４、９０２、１０１８　受信部
１０６　受信信号レベル測定部
１０８　閾値調整部
１１０　着信判定部
１１２、９０６　着信シーケンス制御部
４０２　受信品質測定部
４０４、８０４、９０８　誤判定確率目標値設定部
４０６、１０２２　受信品質基準値設定部
４０８　閾値算出部
８０２　残存電荷量検出部
９０４　間欠受信周期制御部
１０００　移動体通信システム
１００２　基地局装置
１００４　移動局装置
１００８　閾値調整コマンド生成部
１０１０　ページングインジケータ生成部
１０１２　ページング情報生成部
１０１４　送信部
１０２０　コマンド復調部
【図１】
2004140611.tif 000003
【図２】
2004140611.tif 000004
【図３】
2004140611.tif 000005
【図４】
2004140611.tif 000006
【図５】
2004140611.tif 000007
【図６】
2004140611.tif 000008
【図７】
2004140611.tif 000009
【図８】
2004140611.tif 000010
【図９】
2004140611.tif 000011
【図１０】
2004140611.tif 000012